(57)【要約】【課題】建築物用波板の固定装置を提供する。【解決手段】本発明の建築物用波板の固定装置は、締結部材及び錠止部材を備える。締結部材一端は外部ツールが結合可能な接合部を有し、他端には位置決め部が設けられる。錠止部材は締結部材に移動可能に設置され、締結部材は建築物用波板及びブラケットに貫設される。位置決め部及び前記錠止部材は建築物用波板及びブラケットの対向し合うそれぞれの側面に設けられる。これにより外部ツールが締結部材の接合部に結合され、錠止部材と締結部材との間に相互作用が生じると、位置決め部及び錠止部材が互いに接近して建築物用波板とブラケットとをきつく固定させ、或いは互いに離されて建築物用波板及びブラケットが緩められる。本発明の架設作業では便利で簡単に位置決め操作が可能になり、各部材の装設工程が安定的にスムーズに行えるようになり、施工時間が短縮し、施工品質も高まる。【選択図】図２
2020183684.tif 000002
【特許請求の範囲】
【請求項１】
ブラケットに建築物用波板が設置される建築物用波板の固定装置であって、前記固定装置は、
第一端及び第二端を有し、前記第一端は外部ツールが結合可能な接合部を有し、前記第二端には位置決め部が設けられる締結部材と、
前記締結部材に移動可能に設置される錠止部材と、を備え、
前記締結部材は前記建築物用波板及び前記ブラケットに貫設され、前記位置決め部及び前記錠止部材は前記建築物用波板及び前記ブラケットの対向し合うそれぞれの側面に設けられ、これにより前記外部ツールが前記締結部材の接合部に設置される際に、前記錠止部材と前記締結部材との間に相互作用が生じると、前記位置決め部及び前記錠止部材が互いに接近して前記建築物用波板と前記ブラケットとをきつく固定し、或いは互いに離されて前記建築物用波板及び前記ブラケットが緩められることを特徴とする建築物用波板の固定装置。
【請求項２】
前記外部ツールはその断面形状が前記接合部の断面形状の凹溝に対応し、前記外部ツールが前記凹溝を介して前記接合部に結合されることを特徴とする請求項１に記載の建築物用波板の固定装置。
【請求項３】
前記位置決め部がほぼ中央位置で前記第二端に枢着されることにより、前記位置決め部が前記締結部材に対して角度を変えることを特徴とする請求項１に記載の建築物用波板の固定装置。
【請求項４】
前記位置決め部の断面形状はほぼ
2020183684.tif 000005
形状を呈し、前記位置決め部の両端には面取りをそれぞれ有することを特徴とする請求項１に記載の建築物用波板の固定装置。
【請求項５】
前記締結部材はねじであり、前記締結部材は両端にそれぞれ設けられる前記第一端及び前記第二端を有することを特徴とする請求項１に記載の建築物用波板の固定装置。
【請求項６】
前記錠止部材は前記締結部材に螺入されると共に前記締結部材に沿って移動するナットであることを特徴とする請求項５に記載の建築物用波板の固定装置。
【発明の詳細な説明】
【技術分野】
【０００１】
本発明は、建築物用波板に関し、更に詳しくは、建築物用波板の固定装置に関する。
【背景技術】
【０００２】
太陽光発電モジュールを建築物の屋根に架設するため、通常は位置決めフレームを太陽光発電モジュールと建築物用波板との間に設置し、太陽光発電モジュールを太陽光を受光する位置に適切且つ正確に取り付ける。
【発明の概要】
【発明が解決しようとする課題】
【０００３】
しかしながら、前述した従来の波板技術では、すなわち、屋根に太陽光発電モジュールの位置決めフレーム、建築物用波板、及び建築物用波板を支持するためのブラケットを全て結合するには、ねじで固定する場合位置を正確に決めにくく、或いは作業空間が狭いため、直接触って作業できず、施工が困難になり、施工に時間がかかる上に品質を維持することも難しかった。
【０００４】
そこで、本発明者は上記の欠点が改善可能と考え、鋭意検討を重ねた結果、合理的設計で上記の課題を効果的に改善する本発明の提案に到った。
【０００５】
本発明は、このような従来の問題に鑑みてなされたものである。上記課題解決のため、本発明は、建築物用波板の固定装置を提供することを主目的とする。つまり、架設作業を便利にし、定位作業を行いやすくし、各部材の装設工程を更に安定的且つスムーズに実施可能にし、施工時間を短縮させ、施工品質を向上させる。
【課題を解決するための手段】
【０００６】
上記課題を解決するために、本発明のある態様の建築物用波板の固定装置は、前記建築物用波板がブラケットに設置され、前記固定装置は締結部材及び錠止部材を備える。前記締結部材は第一端及び第二端を有し、前記第一端は外部ツールを結合可能な接合部を有し、前記第二端には位置決め部が設けられる。前記錠止部材は前記締結部材に移動可能に設置される。前記締結部材は前記建築物用波板及び前記ブラケットに貫設され、前記位置決め部及び前記錠止部材は前記建築物用波板及び前記ブラケットの対向し合うそれぞれの側面に設けられる。これにより、前記外部ツールが前記締結部材の接合部に設置される際に、前記錠止部材と前記締結部材との間で相互作用が生じると、前記位置決め部及び前記錠止部材が互いに接近して前記建築物用波板と前記ブラケットとをきつく固定し、或いは互いに離されて前記建築物用波板及び前記ブラケットが緩められる。上述の技術的特徴により、本発明の架設作業がより便利になり、定位作業が容易になり、各部材の装設工程も安定的且つスムーズに実施可能になり、施工時間が短縮し、施工品質も高まる。
【０００７】
好ましくは、前記外部ツールはその断面形状が前記接合部の断面形状の凹溝に対応し、前記外部ツールが前記凹溝を介して前記接合部に結合される。
【０００８】
好ましくは、前記位置決め部がほぼ中央位置で前記第二端に枢着されることにより、前記位置決め部が前記締結部材に対して角度を変える。
【０００９】
好ましくは、前記位置決め部の断面形状はほぼ
2020183684.tif 000003
形状を呈し、前記位置決め部の両端には面取りをそれぞれ有する。
【００１０】
好ましくは、前記締結部材はねじであり、前記締結部材は両端にそれぞれ設けられる前記第一端及び前記第二端を有する。
【００１１】
好ましくは、前記錠止部材は前記締結部材に螺入されると共に前記締結部材に沿って移動するナットである。
【図面の簡単な説明】
【００１２】
【図１】本発明の好ましい実施形態に係る建築物用波板の固定装置を示す正面図である。
【図２】本発明の好ましい実施形態に係る建築物用波板の固定装置を示す外観斜視図である。
【図３】本発明の好ましい実施形態の応用を示す概略図である。
【図４】図３の部分断面図である。
【発明を実施するための形態】
【００１３】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００１４】
まず、本発明は様々な形態の建築物用波板及び太陽光モジュールのフレームに広く組み合わせて結合させることができ、太陽光発電モジュール及び建築物用波板の架設に使用されるものは全て本発明の応用範囲に含まれる。本技術分野の技術者ならば本実施形態の説明用語は応用方式を制限しない上位の描写であることが理解できる。これには構造、形状、方向、または設置方式等の用語が含まれるがこれらは決して描写内容を制限するものではなく、組み合わせて結合する操作作業方式も制限されない。
【００１５】
図１乃至図３に示す本発明の好ましい実施形態に係る建築物用波板３０の固定装置は、建築物用波板３０がブラケット３２に設置される。好ましい本実施形態に係るブラケット３２はＣ型鋼を例にし、建築物用波板３０はブラケット３２の上方に重置される。
【００１６】
固定装置は締結部材１０及び錠止部材２０を備える。好ましい本実施形態に係る締結部材１０はねじを例にし、締結部材１０はねじの両端にそれぞれ設けられる第一端１２及び第二端１４を有する。第一端１２は外部ツール（図示省略）を結合可能な接合部１６を有する。好ましい本実施形態に係る接合部１６は断面が四角形を呈する柱体を例にし、対応する外部ツールは接合部１６の断面形状である凹溝に対応する断面形状を有し、外部ツールは凹溝を介して接合部１６に結合される。
【００１７】
締結部材１０の第二端１４には位置決め部１８が設けられ、好ましい本実施形態に係る位置決め部１８は断面形状がほぼ
2020183684.tif 000004
形状を呈する軌条を例にる。位置決め部１８の両端には面取り１９をそれぞれ有し、位置決め部１８がほぼ中央位置で第二端１４に枢着されることにより、位置決め部１８が締結部材１０に対して角度を変える。
【００１８】
錠止部材２０は締結部材１０に移動可能に設置され、好ましい本実施形態に係る錠止部材２０はナットを例にする。錠止部材２０は締結部材１０に螺入されてねじに沿って上下に移動する。
【００１９】
上述の本発明の部材構成により、図３及び図４に示されるように、締結部材１０が建築物用波板３０及びブラケット３２に貫設され、錠止部材２０及び位置決め部１８が建築物用波板３０及びブラケット３２の対向し合うそれぞれの側面に位置される。建築物用波板３０に太陽光発電モジュールの位置決めフレームを架設する場合、締結部材１０が建築物用波板３０及び前記位置決めフレームの接合台４０に貫設され、外部ツールが接合台４０に直接進入して締結部材１０の接合部１６に設置され、締結部材１０が堅固に定位され、後続の施工作業が行いやすくなる。次いで、錠止部材２０と締結部材１０との間に相互作用が生じると、錠止部材２０が回され、或いは締結部材１０が回され、錠止部材２０が締結部材１０に沿って位置決め部１８に接近し、接合台４０、建築物用波板３０、及びブラケット３２をきつく固定させる。或いは、錠止部材２０が締結部材１０に沿って位置決め部方向から離され、接合台４０、建築物用波板、及びブラケット３２が緩められる。
【００２０】
本発明は締結部材１０の接合部１６により外部ツールを直接定位させ、締結部材１０の位置決め部１８及び錠止部材２０が相互に移動し作用することにより、建築物用波板３０、ブラケット３２、及び太陽光発電モジュールの位置決めフレームの三者の間の架設作業を更に便利にし、定位作業を容易にし、各部材の装設工程をより安定的且つスムーズに実施可能にし、施工時間を短縮させ、施工品質を向上させる。
【００２１】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００２２】
１０  締結部材
１２  第一端
１４  第二端
１６  接合部
１８  位置決め部
１９  面取り
２０  錠止部材
３０  建築物用波板
３２  ブラケット
４０  接合台
【図１】
2020183684.tif 000006
【図２】
2020183684.tif 000007
【図３】
2020183684.tif 000008
【図４】
2020183684.tif 000009